(57)【要約】【課題】フロンガス等の冷媒管理が容易で、かつ、資源を無駄にすることがないように、冷媒を使用する熱交換器を有する装置を販売すること。【解決手段】購買者２が据付けられた空調装置を購入することで、使用済の冷媒のフロン等の責任のある回収管理が容易になり、かつ、解体業者４が空調装置を分解し、分解した部品を再使用可能部品と再生部品とに区分し、製造メーカ毎に回収したり、責任を持った分解後の再利用が可能なように同一機能部品或いは材料を区分けでき、限られた資源の再利用等の管理が可能となる。修理業者５は、解体業者４から供給される再使用可能部品を使用することにより、効率のよい修理ができる。また、利用者１は使用料金を支払うことにより、所有権管理が自己でないので、最終的な処分のことを考慮する必要がなくなり、財産管理が明確になる。【選択図】　　　図４
2004108650.tif 000002
【特許請求の範囲】
【請求項１】
据付けられたまたは新たに据付けられる冷媒を使用する熱交換器を有する装置を購入する購買者と、
前記購買者に販売した熱交換器を有する装置を、所定の料金で貸与を受ける前記冷媒を使用する熱交換器を有する装置の利用者と
からなることを特徴とする冷媒を使用する熱交換器を有する装置の提供方法。
【請求項２】
据付けられたまたは新たに据付けられる冷媒を使用する熱交換器を有する装置を購入する購買者と、
前記購買者に販売した熱交換器を有する装置を、所定の料金で貸与を受ける前記冷媒を使用する熱交換器を有する装置の利用者と、
前記購買者または利用者からの売買情報に基き、前記購買者から前記利用者に対する支払い代金を立て替えるとともに、前記冷媒を使用する熱交換器を有する装置の利用者から前記代金の回収を行う中間業者と
からなることを特徴とする冷媒を使用する熱交換器を有する装置の提供方法。
【請求項３】
据付けられたまたは新たに据付けられる冷媒を使用する熱交換器を有する装置を購入する購買者と、
前記購買者に販売した熱交換器を有する装置を、所定の料金で貸与を受ける前記冷媒を使用する熱交換器を有する装置の利用者と、
前記冷媒を使用する熱交換器を有する装置を分解し、分解した部品を再使用可能部品と再生部品とに区分する解体業者と
からなることを特徴とする冷媒を使用する熱交換器を有する装置の提供方法。
【請求項４】
据付けられたまたは新たに据付けられる冷媒を使用する熱交換器を有する装置を購入する購買者と、
前記購買者に販売した熱交換器を有する装置を、所定の料金で貸与を受ける前記冷媒を使用する熱交換器を有する装置の利用者と、
前記冷媒を使用する熱交換器を有する装置を分解し、分解した部品を再使用可能部品と再生部品とに区分する解体業者と、
前記解体業者から分解した再使用可能部品を買い入れ、前記購買者の購入した冷媒を使用する熱交換器を有する装置を修理する修理業者と
からなることを特徴とする冷媒を使用する熱交換器を有する装置の提供方法。
【発明の詳細な説明】
【０００１】
【発明の属する技術分野】
本発明は、空調機器（空気調和機）等の冷媒を使用する熱交換器を有する装置の提供方法で、主に、冷媒としてフロンガス等を使用した施工済み空調機器、新規施工の空調機器、冷蔵庫、冷凍庫等の装置の提供方法に関するものである。
【０００２】
【従来の技術】
例えば、従来の空調機器は、建設業者の手によってビル等の建造物が建設されると、同時に内装として空調設備がその建造物に取付けられていた。この空調設備は、建造物の所有者の所有物となり、建造物が老朽化して壊すまで、または、空調の性能が低下しないまでは、その取付け状態が維持され、故障が生じた場合には、修理して使用されている。
【０００３】
【発明が解決しようとする課題】
建造物が老朽化するまでに寿命が尽きた空調機器においては、通常、フロンガスを抜き取って処分される。しかし、建造物と一体に壊され処分される場合も少なくない。
【０００４】
また、施工後の空調機器は、フロンガス等の冷媒の漏れが発生していても、建造物の所有者が空調機器の個々のサービス会社からサービスを受けているために、空調機に問題があるか、配管側に問題があるかの追及が遅れてしまい、フロンガス等の冷媒の漏れの要因の発見が遅れることになる。
【０００５】
そこで、本発明は、フロンガス等の冷媒管理が容易である冷媒を使用する熱交換器を有する装置の提供方法の提供を第１の課題とするものである。
【０００６】
また、雑居ビル等の建造物では、空調機器の使用状態に均衡が取れておらず、建造物の取り壊しの際には、使用されない機器が存在したり、使用されても１〜２年であったり、取替えた直後の空調機器が何台か存在する可能性が高く、建造物に取付けられている空調機器を同時に処分しようとすると、施工されていた空調機器の中には捨てるに忍びないものも存在し、資源の無駄があった。
【０００７】
そこで、本発明は、フロンガス等の冷媒管理が容易であり、かつ、資源を無駄にすることがない冷媒を使用する熱交換器を有する装置の提供方法の提供を課題とするものである。
【０００８】
【課題を解決するための手段】
請求項１にかかる冷媒を使用する熱交換器を有する装置の提供方法は、据付けられた冷媒を使用する熱交換器を有する装置を購入する購買者と、前記購買者に販売した熱交換器を有する装置を、所定の料金で貸与を受ける前記据付けられた冷媒を使用する熱交換器を有する装置の利用者とからなるものである。
【０００９】
したがって、購買者が据付けられた冷媒を使用する熱交換器を有する装置を購入することで、当該装置の使用済の冷媒のフロン等の責任のある回収管理が容易になり、かつ、必要に応じて製造メーカ毎に回収したり、責任を持った分解後の再利用が可能なように同一機能部品或いは材料を区分けでき、限られた資源の再利用等の管理が可能となる。また、利用者は使用料金を支払うことにより、所有権管理が自己でないので、最終的な処分のことを考慮する必要がなくなり、財産管理が明確になる。
【００１０】
ここで、据付けられた冷媒を使用する熱交換器を有する装置とは、冷媒としてフロンガス等を使用した施工済み空調機器、新規施工する空調機器、冷蔵庫、冷凍庫等の装置、自動車のエアコン等を意味する。購買者は当該装置を直接金銭的に購入する者、ローン、リース等で購入する者で、当該装置の所有者である。当該装置の利用者とは、当該装置の施工済みの建造物の所有者、車両の所有者、それらを使用する者等を意味する。
【００１１】
請求項２にかかる冷媒を使用する熱交換器を有する装置の提供方法は、据付けられた冷媒を使用する熱交換器を有する装置を購入する購買者と、前記購買者に販売した熱交換器を有する装置を、所定の料金で貸与を受ける前記据付けられた冷媒を使用する熱交換器を有する装置の利用者と、前記購買者または利用者からの売買情報に基き、前記購買者から前記利用者に対する支払い代金を立て替えるとともに、前記据付けられた冷媒を使用する熱交換器を有する装置の利用者から前記代金の回収を行う中間業者とからなるものである。
【００１２】
したがって、購買者が据付けられた冷媒を使用する熱交換器を有する装置を購入することで、当該装置の使用済の冷媒のフロン等の責任のある回収管理が容易になり、かつ、必要に応じて製造メーカ毎に回収したり、責任を持った分解後の再利用が可能なように同一機能部品或いは材料を区分けでき、限られた資源の再利用等の管理が可能となる。また、利用者は使用料金を支払うことにより、所有権管理が自己でないので、最終的な処分のことを考慮する必要がなくなり、財産管理が明確になる。更に、中間業者の介在によって、購買者の購買資金に無理がかからない。また、購買者は通常のレンタルまたはリースと同様に、冷媒を使用する熱交換器を有する装置を使用することができる。
【００１３】
ここで、据付けられた冷媒を使用する熱交換器を有する装置とは、冷媒としてフロンガス等を使用した施工済み空調機器、新規施工する空調機器、冷蔵庫、冷凍庫等の装置、自動車のエアコン等を意味する。購買者は当該装置を直接金銭的に購入する者、ローン、リース等で購入する者で、当該装置の所有者である。当該装置の利用者とは、当該装置の施工済みの建造物の所有者、車両の所有者、それらを使用する者等を意味する。そして、中間業者とは、購買者または利用者の売買情報に基いて前記購買者から前記利用者に対する支払い代金を立て替える者、支払いを保証するものを含むものである。
【００１４】
請求項３にかかる冷媒を使用する熱交換器を有する装置の提供方法は、据付けられた冷媒を使用する熱交換器を有する装置を購入する購買者と、前記購買者に販売した熱交換器を有する装置を、所定の料金で貸与を受ける前記据付けられた冷媒を使用する熱交換器を有する装置の利用者と、前記冷媒を使用する熱交換器を有する装置を分解し、分解した部品を再使用可能部品と再生部品とに区分する解体業者とからなるものである。
【００１５】
したがって、購買者が据付けられた冷媒を使用する熱交換器を有する装置を購入することで、当該装置の使用済の冷媒のフロン等の責任のある回収管理が容易になり、かつ、解体業者が冷媒を使用する熱交換器を有する装置を分解し、分解した部品を再使用可能部品と再生部品とに区分し、製造メーカ毎に回収したり、責任を持った分解後の再利用が可能なように同一機能部品或いは材料を区分けでき、限られた資源の再利用等の管理が可能となる。また、利用者は使用料金を支払うことにより、所有権管理が自己でないので、最終的な処分のことを考慮する必要がなくなり、財産管理が明確になる。
【００１６】
ここで、据付けられた冷媒を使用する熱交換器を有する装置とは、冷媒としてフロンガス等を使用した施工済み空調機器、新規施工する空調機器、冷蔵庫、冷凍庫等の装置、自動車のエアコン等を意味する。購買者は当該装置を直接金銭的に購入する者、ローン、リース等で購入する者で、当該装置の所有者である。当該装置の利用者とは、当該装置の施工済みの建造物の所有者、車両の所有者、それらを使用する者等を意味する。解体業者とは、冷媒を使用する熱交換器を有する装置を分解し、分解した部品を再使用可能部品と再生部品とに区分する者で、その分解した後の形態として再使用可能部品または再生部品のみを管理する業者との形態を持つ場合もある。
【００１７】
請求項４にかかる冷媒を使用する熱交換器を有する装置の提供方法は、据付けられた冷媒を使用する熱交換器を有する装置を購入する購買者と、前記購買者に販売した熱交換器を有する装置を、所定の料金で貸与を受ける前記据付けられた冷媒を使用する熱交換器を有する装置の利用者と、前記冷媒を使用する熱交換器を有する装置を分解し、分解した部品を再使用可能部品と再生部品とに区分する解体業者と、前記解体業者から分解した再使用可能部品を買い入れ、前記購買者の購入した冷媒を使用する熱交換器を有する装置を修理する修理業者とからなるものである。
【００１８】
したがって、購買者が据付けられた冷媒を使用する熱交換器を有する装置を購入することで、当該装置の使用済の冷媒のフロン等の責任のある回収管理が容易になり、かつ、解体業者が前記冷媒を使用する熱交換器を有する装置を分解し、分解した部品を再使用可能部品と再生部品とに区分し、製造メーカ毎に回収したり、責任を持った分解後の再利用が可能なように同一機能部品或いは材料を区分けでき、限られた資源の再利用等の管理が可能となる。修理業者は、解体業者から供給される再使用可能部品を使用することにより、効率のよい修理ができる。また、利用者は使用料金を支払うことにより、所有権管理が自己でないので、最終的な処分のことを考慮する必要がなくなり、財産管理が明確になる。更に、中間業者の介在によって、購買者の購買資金に無理がかからない。また、購買者は通常のレンタルまたはリースと同様に、冷媒を使用する熱交換器を有する装置を使用することができる。
【００１９】
ここで、据付けられた冷媒を使用する熱交換器を有する装置とは、冷媒としてフロンガス等を使用した施工済み空調機器、新規施工する空調機器、冷蔵庫、冷凍庫等の装置、自動車のエアコン等を意味する。購買者は当該装置を直接金銭的に購入する者、ローン、リース等で購入する者で、当該装置の所有者である。当該装置の利用者とは、当該装置の施工済みの建造物の所有者、車両の所有者、それらを使用する者等を意味する。解体業者とは、冷媒を使用する熱交換器を有する装置を分解し、分解した部品を再使用可能部品と再生部品とに区分する者で、その分解した後の形態として再使用可能部品または再生部品のみを管理する業者との形態を持つ場合もある。更に、修理業者とは、解体業者から分解した再使用可能部品を買い入れ、購買者の購入した冷媒を使用する熱交換器を有する装置を修理する者で、常に、再使用可能部品のみを使用するものではなく、必要に応じて使用するものである。
【００２０】
【発明の実施の形態】
以下、本発明の実施の形態について図面を参照して説明する。
【００２１】
実施の形態１
図１は本発明の実施の形態１の冷媒を使用する熱交換器を有する装置の提供方法の構成図である。
【００２２】
据付けられた冷媒を使用する熱交換器を備えた装置としては、ここではビルに施行された空調装置の事例を挙げて説明する。なお、本発明の据付けられた冷媒を使用する熱交換器を有する装置とは、冷媒としてフロンガス等を使用した施工済み空調機器に限定されることなく、新規施工する空調機器、冷蔵庫、冷凍庫等の装置、自動車のエアコン等を意味するものである。しかし、実施の形態１乃至４では冷媒を使用する熱交換器を有する装置としては、空調機器の事例で説明する。
【００２３】
購買者２は、ビル等の建造物に据付けられた空調装置または新規に据付ける空調装置を購入する者で、直接金銭的に購入する者及びローン、リース等で購入する者を含み、空調装置の所有者である。また、利用者１とは、購買者２に販売した空調装置を、所定の料金でレンタル等で貸与を受ける者で、販売または賃貸等の形態により、ビル等の建造物の所有者または管理者、テナント等のビルの入居者が該当する。
【００２４】
本実施の形態１の冷媒を使用する熱交換器を有する装置は、空調装置を購入する購買者２と、前記購買者２に販売した空調装置を、所定の料金で貸与を受ける前記空調装置の利用者１とからなるものである。
【００２５】
このように構成される本実施の形態１の冷媒を使用する熱交換器を有する装置の提供方法は、購買者２が据付けられた空調装置または新規に据付ける空調装置を購入することで、空調装置の取り外し義務が購買者２に課せられ、現在社会問題になっている当該空調装置の使用済の冷媒のフロン等の責任のある回収管理が容易になり、かつ、当該空調装置またはその構成部品についても、必要に応じて製造メーカ毎に回収したり、責任を持った分解後の再利用が可能なように同一機能部品或いは材料を区分けでき、限られた資源の再利用等の管理が可能となる。また、利用者１は使用料金を支払うことにより、当該空調装置の所有権管理が自己責任でなくなるので、最終的な処分のことを考慮する必要がなくなり、財産管理が明確になる。
【００２６】
実施の形態２
図２は本発明の実施の形態２の冷媒を使用する熱交換器を有する装置の提供方法の構成図である。
【００２７】
本実施の形態において、利用者１と購買者２は、本発明の実施の形態１と同じである。また、中間業者３は、購買者２または利用者１からの売買情報に基き、購買者２に利用者１に対する支払い代金を立て替えるとともに、空調装置の利用者１からその代金の回収を行なう者で、この回収方法としてはレンタル料金とするのが一般的である。この中間業者３には、支払いを保証する者も含むものである。
【００２８】
本実施の形態２の冷媒を使用する熱交換器を有する装置の提供方法は、空調装置を購入する購買者２と、購買者２に販売した空調装置を、所定の料金で貸与を受ける空調装置の利用者１と、購買者２または利用者１からの売買情報に基き、購買者２から利用者１に対する支払い代金を立て替えるとともに、空調装置の利用者１から前記代金の回収を行う中間業者とからなるものである。
【００２９】
このように構成される本実施の形態の冷媒を使用する熱交換器を有する装置の提供方法は、購買者２が据付けられた空調装置または新規に据付ける空調装置を購入することで、当該空調装置の使用済の冷媒のフロン等の責任のある回収管理が容易になり、かつ、必要に応じて空調装置またはその部品を製造メーカ毎に回収したり、責任を持った分解後の再利用が可能なように同一機能部品或いは材料を区分けでき、限られた資源の再利用等の管理が可能となる。また、利用者１は使用料金を支払うことにより、所有権管理が自己になくなるので、最終的な処分のことを考慮する必要がなくなり、財産管理が明確になる。更に、中間業者３の介在によって、購買者２の購買資金に無理がかからない。また、利用者１は通常のレンタルまたはリースと同様に、空調装置を使用することができる。
【００３０】
実施の形態３
図３は本発明の実施の形態３の冷媒を使用する熱交換器を有する装置の提供方法の構成図である。
【００３１】
本実施の形態において、利用者１と購買者２は、本発明の実施の形態１と同じである。また、解体業者４は、空調装置を分解し、分解した部品を再使用可能部品と再生部品とに区分する者で、その分解した後の形態として再使用可能部品または再生部品のみを管理する業者との形態を持つ場合もある。勿論、再使用可能部品でないものは、再生材料ごとに分類したり、溶融する場合もある。
【００３２】
本実施の形態３の冷媒を使用する熱交換器を有する装置の提供方法は、空調装置を購入する購買者２と、購買者２に販売した空調装置を所定の料金で貸与を受ける利用者１と、空調装置を分解し、分解した部品を再使用可能部品と再生部品とに区分する解体業者４とからなる。
【００３３】
このように構成される本実施の形態の空調装置の提供方法は、購買者２が据付けられた空調装置または新たに据付けられる空地用装置を購入することで、当該空調装置の使用済の冷媒のフロン等の責任のある回収管理が容易になり、かつ、解体業者４が空調装置を分解し、分解した部品を再使用可能部品と再生部品とに区分し、製造メーカ毎に回収したり、責任を持った分解後の再利用が可能なように同一機能部品或いは材料を区分けでき、限られた資源の再利用等の管理が可能となる。また、利用者１は使用料金を支払うことにより、所有権管理が自己でなくなるので、最終的な処分のことを考慮する必要がなくなり、財産管理が明確になる。
【００３４】
実施の形態４
図４は本発明の実施の形態４の冷媒を使用する熱交換器を有する装置の提供方法の構成図である。
【００３５】
本実施の形態において、利用者１と購買者２、解体業者４は、本発明の実施の形態３と同じである。また、修理業者５は、解体業者４から分解した再使用可能部品を買い入れ、購買者２の購入した空調装置を修理する者で、常に、再使用可能部品のみを使用するものではなく、必要に応じて使用するものである。
【００３６】
本実施の形態３の冷媒を使用する熱交換器を有する装置の提供方法は、空調装置を購入する購買者２と、購買者２に販売した空調装置を所定の料金で貸与を受ける空調装置の利用者１と、空調装置を分解し、分解した部品を再使用可能部品と再生部品とに区分する解体業者４と、解体業者４から分解した再使用可能部品を買い入れ、購買者２の購入した空調装置を修理する修理業者５とからなるものである。
【００３７】
このように構成される本実施の形態４の冷媒を使用する熱交換器を有する装置の提供方法は、購買者が据付けられた空調装置または新たに据付けられる空調装置を購入することで、当該空調装置の使用済の冷媒のフロン等の責任のある回収管理が容易になり、かつ、解体業者４が空調装置を分解し、分解した部品を再使用可能部品と再生部品とに区分し、製造メーカ毎に回収したり、責任を持った分解後の再利用が可能なように同一機能部品或いは材料を区分けでき、限られた資源の再利用等の管理が可能となる。修理業者５は、解体業者４から供給される再使用可能部品を使用することにより、資源の無駄及び寿命に対する無駄な部品交換がなくなるので、効率のよい修理ができる。また、利用者１は使用料金を支払うことにより、所有権管理が自己でないので、最終的な処分のことを考慮する必要がなくなり、財産管理が明確になる。
【００３８】
ところで、上記実施の形態１乃至４では、本実施の形態の空調装置の提供方法としての基本的形態を説明したが、上記実施の形態３及び４に中間業者４を介在させることもできる。この中間業者３の介在によって、購買者２の購買資金に無理がかからない。また、利用者１は通常のレンタルまたはリースと同様に、空調装置を使用することができると言う効果が付加される。
【００３９】
また、上記実施の形態４は上記実施の形態３の本実施の形態の空調装置の提供方法として説明したが、上記実施の形態３及び４に中間業者４を介在させることもできる。この中間業者３の介在によって、購買者２の購買資金に無理がかからない。また、利用者１は通常のレンタルまたはリースと同様に、空調装置を使用することができると言う効果が付加される。
【００４０】
そして、上記実施の形態４は上記実施の形態３の本実施の形態の空調装置の提供方法として修理業者５を追加する構成として説明したが、修理業者５は各メーカ毎に存在するから、上記実施の形態１乃至３にも存在することになる。しかし、上記実施の形態４では再使用可能部品を使用することを意味する。また、現在の産業構造では、解体業者４と修理業者５は、分離されている形態となっているが、これらは一体の構成とすることもできる。したがって、上記実施の形態１乃至３にも解体業者４と修理業者５を付加した構成は成立し、当然、上記実施の形態１乃至３は解体業者４と修理業者５を付加できる構成として表現したものである。
【００４１】
【発明の効果】
請求項１にかかる冷媒を使用する熱交換器を有する装置の提供方法は、据付けられたまたは新たに据付けられる冷媒を使用する熱交換器を有する装置を購入する購買者と、前記購買者に販売した熱交換器を有する装置を、所定の料金で貸与を受ける前記据付けられた冷媒を使用する熱交換器を有する装置の利用者とからなるものである。
【００４２】
したがって、購買者が据付けられたまたは新たに据付けられる冷媒を使用する熱交換器を有する装置を購入することで、当該装置の使用済の冷媒のフロン等の責任のある回収管理が容易になり、かつ、必要に応じて製造メーカ毎に回収したり、責任を持った分解後の再利用が可能なように同一機能部品或いは材料を区分けでき、限られた資源の再利用等の管理が可能となる。また、利用者は使用料金を支払うことにより、所有権管理が自己でないので、最終的な処分のことを考慮する必要がなくなり、財産管理が明確になる。
【００４３】
請求項２にかかる冷媒を使用する熱交換器を有する装置の提供方法は、据付けられたまたは新たに据付けられる冷媒を使用する熱交換器を有する装置を購入する購買者と、前記購買者に販売した熱交換器を有する装置を、所定の料金で貸与を受ける前記冷媒を使用する熱交換器を有する装置の利用者と、前記購買者から購入した利用者から売買情報に基き、前記購買者から前記利用者に対する支払い代金を立て替えるとともに、前記冷媒を使用する熱交換器を有する装置の利用者から中間業者とからなるものである。
【００４４】
したがって、購買者が据付けられたまたは新たに据付けられる冷媒を使用する熱交換器を有する装置を購入することで、当該装置の使用済の冷媒のフロン等の責任のある回収管理が容易になり、かつ、必要に応じて製造メーカ毎に回収したり、責任を持った分解後の再利用が可能なように同一機能部品或いは材料を区分けでき、限られた資源の再利用等の管理が可能となる。また、利用者は使用料金を支払うことにより、所有権管理が自己でないので、最終的な処分のことを考慮する必要がなくなり、財産管理が明確になる。更に、中間業者の介在によって、購買者の購買資金に無理がかからない。また、購買者は通常のレンタルまたはリースと同様に、冷媒を使用する熱交換器を有する装置を使用することができる。
【００４５】
請求項３にかかる冷媒を使用する熱交換器を有する装置の提供方法は、据付けられたまたは新たに据付けられる冷媒を使用する熱交換器を有する装置を購入する購買者と、前記購買者に販売した熱交換器を有する装置を、所定の料金で貸与を受ける前記冷媒を使用する熱交換器を有する装置の利用者と、前記冷媒を使用する熱交換器を有する装置を分解し、分解した部品を再使用可能部品と再生部品とに区分する解体業者とからなるものである。
【００４６】
したがって、購買者が据付けられたまたは新たに据付けられる冷媒を使用する熱交換器を有する装置を購入することで、当該装置の使用済の冷媒のフロン等の責任のある回収管理が容易になり、かつ、解体業者が冷媒を使用する熱交換器を有する装置を分解し、分解した部品を再使用可能部品と再生部品とに区分し、製造メーカ毎に回収したり、責任を持った分解後の再利用が可能なように同一機能部品或いは材料を区分けでき、限られた資源の再利用等の管理が可能となる。また、利用者は使用料金を支払うことにより、所有権管理が自己でないので、最終的な処分のことを考慮する必要がなくなり、財産管理が明確になる。
【００４７】
請求項４にかかる冷媒を使用する熱交換器を有する装置の提供方法は、据付けられたまたは新たに据付けられる冷媒を使用する熱交換器を有する装置を購入する購買者と、前記購買者に販売した熱交換器を有する装置を、所定の料金で貸与を受ける前記冷媒を使用する熱交換器を有する装置の利用者と、前記冷媒を使用する熱交換器を有する装置を分解し、分解した部品を再使用可能部品と再生部品とに区分する解体業者と、前記解体業者から分解した再使用可能部品を買い入れ、前記購買者の購入した冷媒を使用する熱交換器を有する装置を修理する修理業者とからなるものである。
【００４８】
したがって、購買者が据付けられたまたは新たに据付けられる冷媒を使用する熱交換器を有する装置を購入することで、当該装置の使用済の冷媒のフロン等の責任のある回収管理が容易になり、かつ、解体業者が前記冷媒を使用する熱交換器を有する装置を分解し、分解した部品を再使用可能部品と再生部品とに区分し、製造メーカ毎に回収したり、責任を持った分解後の再利用が可能なように同一機能部品或いは材料を区分けでき、限られた資源の再利用等の管理が可能となる。修理業者は、解体業者から供給される再使用可能部品を使用することにより、効率のよい修理ができる。また、利用者は使用料金を支払うことにより、所有権管理が自己でないので、最終的な処分のことを考慮する必要がなくなり、財産管理が明確になる。更に、中間業者の介在によって、購買者の購買資金に無理がかからない。また、購買者は通常のレンタルまたはリースと同様に、冷媒を使用する熱交換器を有する装置を使用することができる。
【図面の簡単な説明】
【図１】図１は本発明の実施の形態１の冷媒を使用する熱交換器を有する装置の提供方法の構成図である。
【図２】図２は本発明の実施の形態２の冷媒を使用する熱交換器を有する装置の提供方法の構成図である。
【図３】図３は本発明の実施の形態３の冷媒を使用する熱交換器を有する装置の提供方法の構成図である。
【図４】図４は本発明の実施の形態４の冷媒を使用する熱交換器を有する装置の提供方法の構成図である。
【符号の説明】
１　　利用者
２　　購買者
３　　中間業者
４　　解体業者
５　　修理業者
【図１】
2004108650.tif 000003
【図２】
2004108650.tif 000004
【図３】
2004108650.tif 000005
【図４】
2004108650.tif 000006